(57)【要約】      （修正有）【課題】植物を土地に容易に植え付けられる植付装置を提供する。【解決手段】植付装置は、アーム２と、アームに設けられ、掘削具３０により土地を掘削する掘削部３と、アームに設けられ、開口を通じて出し入れ可能に植物を内部空間に収容する植物収容部７と、奥側植物支持部を開閉して内部空間を外部に開放する開閉機構８と、を備える。奥側植物支持部は、植物収容部の内部空間の長手方向の奥側端部において、収容された植物を支持する。開閉機構は、奥側植物支持部に設けられる開閉軸と、奥側植物支持部を引っ張る引張機構と、を有し、引張機構により奥側植物支持部が引っ張られると、奥側植物支持部は開閉軸を軸として回動して開かれ、植物が傾斜面を滑り、地面に落ちる。【選択図】図１
0003219930.tif 000002
【実用新案登録請求の範囲】
【請求項１】
植物を土地に植え付ける植付装置であって、
アームと、
前記アームに設けられ、掘削具により土地を掘削する掘削部と、
前記アームに設けられ、開口を通じて出し入れ可能に植物を内部空間に収容する植物収容部と、
を備えることを特徴とする、
植付装置。
【請求項２】
前記植物収容部は、前記掘削具よりも前記アームの延在方向後方側に配置されることを特徴とする、
請求項１に記載の植付装置。
【請求項３】
前記植物収容部は、前記内部空間の長手方向の奥側端部において、前記内部空間に収容された植物を支持する奥側植物支持部を有することを特徴とする、
請求項１または２に記載の植付装置。
【請求項４】
前記植物収容部は、前記内部空間の長手方向が前記アームの延在方向に対して傾斜するように前記アームに保持されることを特徴とする、
請求項３に記載の植付装置。
【請求項５】
前記奥側植物支持部を開閉して前記内部空間を外部に開放する開閉機構を備えることを特徴とする、
請求項３または４に記載の植付装置。
【請求項６】
前記開閉機構は、
前記奥側植物支持部に設けられる開閉軸と、
前記奥側植物支持部を引っ張る引張機構と、
を有し、
前記引張機構により前記奥側植物支持部が引っ張られると、前記奥側植物支持部は前記開閉軸を軸として回動することを特徴とする、
請求項５に記載の植付装置。
【請求項７】
前記引張機構は、
一端側が前記支持部に繋がる線状体と、
外部から前記線状体を引っ張る引張操作を受け付ける引張側操作部と、
前記線状体の他端側が繋がれ、前記引張操作に連動して前記線状体を引っ張る線状体引張部と、
を有することを特徴とする、
請求項６に記載の植付装置。
【請求項８】
前記植物収容部よりも前記アームの延在方向後方側において前記アームに設けられる第一把持部と、
前記第一把持部よりも前記アームの延在方向後方側において前記アームに設けられる第二把持部と、
を備えることを特徴とする、
請求項１〜７のいずれかに記載の植付装置。
【請求項９】
前記掘削部は、
駆動源と、
前記駆動源の動力を前記掘削具に伝達する伝達部と、
を有し、
前記駆動源は、前記第二把持部よりも前記アームの延在方向後方側に配置されることを特徴とする、
請求項８に記載の植付装置。
【請求項１０】
前記掘削部は、
駆動源と、
前記駆動源の動力を前記掘削具に伝達する伝達部と、
を有し、
前記駆動源は、前記第二把持部よりも前記アームの延在方向後方側に配置され、
前記第一把持部は、前記駆動源よりも前記掘削具に近位な位置に配置されることを特徴とする、
請求項８に記載の植付装置。
【請求項１１】
前記アームの延在方向における前記掘削具の直後から前記第一把持部の手前までのいずれかの位置において、当該位置を基準として前記アームの延在方向において前記アームの周囲の領域を前後に分ける保護壁部材を備えることを特徴とする、
請求項８〜１０のいずれかに記載の植付装置。
【考案の詳細な説明】
【技術分野】
【０００１】
本考案は、植物を土地に植え付ける植付装置に関する。
【背景技術】
【０００２】
従来、植樹方法として、地面に固定したアンカーに、アンカー挿入穴を有する樹木を挿入する方法があった（例えば、特許文献１参照）。アンカー挿入穴は、樹木の根を起点として樹木内部において高さ方向に延びる穴である。樹木をアンカーに挿入した後に、樹木の根に土を被せて植樹が終了する。
【先行技術文献】
【特許文献】
【０００３】
【特許文献１】特開昭５９−０４８０２７号公報
【考案の概要】
【考案が解決しようとする課題】
【０００４】
しかしながら、上記植樹方法では、いちいちアンカーを地面に固定したり、樹木にアンカー挿入穴を設けたりといろいろと事前準備が必要となり、手間がかかり、効率が悪い。
【０００５】
本考案は、斯かる実情に鑑み、植物を土地に容易に植え付けられる植付装置を提供しようとするものである。
【課題を解決するための手段】
【０００６】
本考案は上記課題を解決するためになされたものであり、本考案の植付装置は、植物を土地に植え付ける植付装置であって、アームと、前記アームに設けられ、掘削具により土地を掘削する掘削部と、前記アームに設けられ、開口を通じて出し入れ可能に植物を内部空間に収容する植物収容部と、を備えることを特徴とする。
【０００７】
また、本考案の植付装置において、前記植物収容部は、前記掘削具よりも前記アームの延在方向後方側に配置されることを特徴とする。
【０００８】
また、本考案の植付装置において、前記植物収容部は、前記内部空間の長手方向の奥側端部において、前記内部空間に収容された植物を支持する奥側植物支持部を有することを特徴とする。
【０００９】
また、本考案の植付装置において、前記植物収容部は、前記内部空間の長手方向が前記アームの延在方向に対して傾斜するように前記アームに保持されることを特徴とする。
【００１０】
また、本考案の植付装置において、前記奥側植物支持部を開閉して前記内部空間を外部に開放する開閉機構を備えることを特徴とする。
【００１１】
また、本考案の植付装置において、前記開閉機構は、前記奥側植物支持部に設けられる開閉軸と、前記奥側植物支持部を引っ張る引張機構と、を有し、前記引張機構により前記奥側植物支持部が引っ張られると、前記奥側植物支持部は前記開閉軸を軸として回動することを特徴とする。
【００１２】
また、本考案の植付装置において、前記引張機構は、一端側が前記支持部に繋がる線状体と、外部から前記線状体を引っ張る引張操作を受け付ける引張側操作部と、前記線状体の他端側が繋がれ、前記引張操作に連動して前記線状体を引っ張る線状体引張部と、を有することを特徴とする。
【００１３】
また、本考案の植付装置において、前記植物収容部よりも前記アームの延在方向後方側において前記アームに設けられる第一把持部と、前記第一把持部よりも前記アームの延在方向後方側において前記アームに設けられる第二把持部と、を備えることを特徴とする。
【００１４】
また、本考案の植付装置において、前記掘削部は、駆動源と、前記駆動源の動力を前記掘削具に伝達する伝達部と、を有し、前記駆動源は、前記第二把持部よりも前記アームの延在方向後方側に配置されることを特徴とする。
【００１５】
また、本考案の植付装置において、前記掘削部は、駆動源と、前記駆動源の動力を前記掘削具に伝達する伝達部と、を有し、前記駆動源は、前記第二把持部よりも前記アームの延在方向後方側に配置され、前記第一把持部は、前記駆動源よりも前記掘削具に近位な位置に配置されることを特徴とする。
【００１６】
また、本考案の植付装置において、前記アームの延在方向における前記掘削具の直後から前記第一把持部の手前までのいずれかの位置において、当該位置を基準として前記アームの延在方向において前記アームの周囲の領域を前後に分ける保護壁部材を備えることを特徴とする。
【考案の効果】
【００１７】
本考案の植付装置によれば、植物を土地に容易に植え付けることができるという優れた効果を奏し得る。
【図面の簡単な説明】
【００１８】
【図１】本考案の実施形態における植付装置を示す図である。
【図２】本考案の実施形態における植付装置の使用状態を示す図である。
【図３】（Ａ）は、本考案の実施形態における植付装置に植物を入れる前の図である。（Ｂ）は、本考案の実施形態における植付装置に植物を入れた後の図である。
【図４】（Ａ）は、本考案の実施形態における植付装置の奥側植物支持部が閉じられた状態の図である。（Ｂ）は、本考案の実施形態における植付装置の奥側植物支持部が開かれた状態の図である。
【図５】（Ａ），（Ｂ）は、本考案の実施形態における植付装置を用いて傾斜面を有する土地に樹木苗を植樹する手順を時系列に示す図である。
【考案を実施するための形態】
【００１９】
以下、本考案の実施の形態を添付図面を参照して説明する。
【００２０】
＜全体構成＞
図１を参照して、植付装置１について説明する。植付装置１は、土地を掘削して、その部分に植物を植え付けるものである。植付装置１は、例えば、アーム２と、掘削部３と、第一把持部４と、第二把持部５と、保護壁部材６と、植物収容部７と、開閉機構８と、を備える。
【００２１】
＜アーム＞
アーム２は、例えば、一方向に延在する筒体により構成される。なお、以下において、アーム２が延在する方向をアーム延在方向Ａ（図１参照）と呼ぶ。
【００２２】
＜掘削部＞
掘削部３は、土地を掘削するものである。掘削部３は、アーム２に設けられ、例えば、掘削具３０と、駆動部３１と、を有する。掘削具３０は、回動することにより土地を掘削する部材である。掘削具３０は、例えば、円盤状の円盤部３０Ａと、複数の径方向延在部３０Ｂとで構成される。
【００２３】
径方向延在部３０Ｂは、例えば、Ｌ字型の板状体のような、先端側に折れ曲がり部分３０Ｃを有する板状体により構成される。また、径方向延在部３０Ｂは、例えば、６つあり、円盤部３０Ａの外周縁において周方向に等間隔に配置される。そして、６つの径方向延在部３０Ｂは、円盤部３０Ａの外周縁から径方向外側に延在すると共に、折れ曲がり部分３０Ｃが円盤部３０Ａの平面３０Ｄから離反する方向に突出するように設けられる。なお、隣り合う径方向延在部３０Ｂの折れ曲がり部分３０Ｃの離反方向は、逆方向となる。
【００２４】
なお、掘削具３０は、回動して土地を掘削する方式のものに限定されるものではなく、その他の方式のものであってもよい。
【００２５】
駆動部３１は、掘削具３０を動作させて掘削具３０に土地を掘削させるものである。駆動部３１は、駆動源３２と、伝達部３３と、駆動側操作部３４と、を有する。駆動源３２は、回動力を発生するものである。駆動源３２は、例えば、エンジン、またはモーターで構成される。そして、駆動源３２は、例えば、アーム２に保持される。駆動源３２は、アーム延在方向Ａにおけるアーム２の後端に設けられることが好ましいが、これに限定されるものではなく、その他の位置でアーム２に保持されてもよい。
【００２６】
伝達部３３は、駆動源３２の動力を掘削具３０に伝達するものである。伝達部３３は、例えば、シャフト３３Ａと、ギアケース３３Ｂと、により構成される。シャフト３３Ａは、駆動部３１の回動力をギアケース３３Ｂに伝達する。シャフト３３Ａは、例えば、棒状に形成される。
【００２７】
ギアケース３３Ｂは、入力側においてシャフト３３Ａに連結され、出力側において掘削具３０に連結される。本実施形態においてギアケース３３Ｂは、シャフト３３Ａから伝達される回動力の伝達方向を変更して出力する。ギアケース３３Ｂは、例えば、ベベルギアを有する。ベベルギアは、シャフト３３Ａによる回動力の伝達方向を、シャフト３３Ａの軸方向に対して直角な方向に変更する。ベベルギアの入力側がシャフト３３Ａに連結され、シャフト３３Ａの軸方向に対して直角な方向延びるベベルギアの出力軸３３Ｃからシャフト３３Ａの回動力が出力される。なお、ベベルギアの出力軸３３Ｃの延在方向は、直角な方向に限定されるものではなく、その他の方向であってもよい。
【００２８】
ギアケース３３Ｂの出力軸３３Ｃの出力が、掘削具３０に伝達されるように、掘削具３０はギアケース３３Ｂに連結される。なお、このとき、円盤部３０Ａの中心軸（掘削具３０の回動軸）と出力軸３３Ｃの中心軸とは一致する。
【００２９】
駆動側操作部３４は、外部から操作を受け付けて、駆動源３２を動作させるものである。駆動側操作部３４は、スイッチ３４Ａを有する。スイッチ３４Ａをオンにすると、駆動源３２は動作してシャフト３３Ａを回動させる。スイッチ３４Ａをオフにすると、駆動源３２は動作を停止する。駆動側操作部３４は、図１に示すように、第一把持部４と、第二把持部５との間に配置される。植付装置１の使用者が操作しやすいように、駆動側操作部３４は、第一把持部４に遠位、かつ、第二把持部５に近位な位置に配置されることが好ましい。
【００３０】
＜第一把持部、第二把持部＞
図１および図２を参照して、第一把持部４および第二把持部５について説明する。図１に示すように、第一把持部４は、植物収容部７よりもアーム延在方向Ａの後方側においてアーム２に設けられる。第二把持部５は、第一把持部４よりもアーム延在方向Ａの後方側においてアーム２に設けられる。図２に示すように、第一把持部４は、使用者８００の右手により把持され、第二把持部５は、使用者８００の左手により把持される。
【００３１】
駆動源３２がアーム延在方向Ａにおけるアーム２の後端に設けられ、かつ、掘削具３０がアーム延在方向Ａにおけるアーム２の先端に設けられた場合、第一把持部４は、駆動源３２よりも掘削具３０に近位な位置に配置されることが好ましく、掘削具３０よりもアーム２の中央に近位な位置に配置されることがより好ましい。また、第二把持部５は、掘削具３０よりも駆動源３２に近位な位置に配置されることが好ましく、駆動源３２の直前に配置されることがより好ましい。
【００３２】
＜保護壁部材＞
図１および図２を参照して、保護壁部材６について説明する。保護壁部材６は、図２に示すように、掘削部３で土地８１０を掘削するときに飛び散る土８２０が使用者８００に接触しないよう、飛び散る土８２０を使用者８００の前方側で受け止めるものである。保護壁部材６は、アーム延在方向Ａの後方側に向かって凸となるように湾曲する湾曲面６０を有する。保護壁部材６は、例えば、アーム延在方向Ａの後方側に向かって凸となるように湾曲する板状体により構成される。
【００３３】
保護壁部材６は、アーム延在方向Ａにおける掘削具３０から第一把持部４までのいずれかの位置においてアーム２に設けられる。保護壁部材６は、設けられる位置を基準としてアーム延在方向Ａにおいてアーム２の周囲の領域を前後に分ける。なお、保護壁部材６が設けられる位置は、掘削具３０よりも第一把持部４に近位な位置に設けられることが好ましく、第一把持部４の直前に設けられることがより好ましい。
【００３４】
＜植物収容部＞
図１〜図４を参照して、植物収容部７について説明する。植物収容部７は、アーム２に設けられ、植え付け対象となる植物９００を収容するものである。植物収容部７は、図１に示すように、掘削具３０よりもアーム延在方向Ａの後方側に配置される。また、植物収容部７は、第一把持部４よりもアーム延在方向Ａの前方側に配置される。つまり、植物収容部７は、アーム延在方向Ａにおける掘削具３０の直後から第一把持部４の手前までのいずれかの位置に設けられる。
【００３５】
植物収容部７は、図１に示すように、アーム延在方向Ａにおける保護壁部材６の位置と略同位置で、保護壁部材６とは並列に配置されてもよい。また、植物収容部７は、保護壁部材６よりもアーム延在方向Ａにおける前方側、または後方側に配置されてもよい。
【００３６】
具体的に植物収容部７は、図３（Ａ）に示すように、開口７１を有し、開口７１を通じて外部に連通する内部空間７２を有する。植物９００は、開口７１を通じて出し入れ可能に内部空間７２に収容される。そして、植物９００は、図３（Ｂ）に示すように、自身の高さ方向が内部空間７２の長手方向Ｂに沿う姿勢で内部空間７２に収容される。
【００３７】
ここで、図２に示すように、植付装置１を把持する使用者８００、または、植物収容部７よりもアーム延在方向Ａの後方側の所定の部分を基準としたとき、内部空間７２の長手方向Ｂにおいて基準から遠位な側を長手方向Ｂの奥側、基準に近位な側を長手方向Ｂの手前側と定義する。したがって、内部空間７２の長手方向Ｂの奥側は、手前側よりも掘削具３０に近位となる。また、内部空間７２の長手方向Ｂの手前側は、奥側よりも掘削具３０から遠位となる。
【００３８】
開口７１は、図３（Ａ）に示すように、手前側開口片７１Ａおよび周囲側開口片７１Ｂにより構成される。手前側開口片７１Ａは、内部空間７２の長手方向Ｂの手前側端部に位置する開口である。周囲側開口片７１Ｂは、内部空間７２の長手方向Ｂの周囲側に位置する開口である。本実施形態では、手前側開口片７１Ａおよび周囲側開口片７１Ｂは連続して設けられるが、これに限定されるものではなく、不連続であってもよい。なお、手前側開口片７１Ａおよび周囲側開口片７１Ｂは、少なくともいずれか一方が設けられればよい。また、手前側開口片７１Ａおよび周囲側開口片７１Ｂの形状・大きさは、植物９００が挿入可能であれば、どのような形状・大きさであってもよい。
【００３９】
また、植物収容部７は、図３（Ａ）に示すように、内部空間７２の長手方向Ｂがアーム延在方向Ａに対して傾斜するように配置されることが好ましい。このとき、図２に示すように、内部空間７２の長手方向Ｂの奥側端部７２Ａは、使用者８００から見て最下方（土地８１０に最近位な位置）に位置する。また、植物収容部７の傾斜を調整可能な傾斜調整機構が設けられてもよい。これにより、アーム延在方向Ａに対する植物収容部７の傾斜角を自由に調整することができる。植物収容部７を以上のように傾斜させれば、植物９００を植物収容部７に挿入しやすくなると共に、後述するように、植物９００を下方側に滑りやすくさせるためである。
【００４０】
なお、植物収容部７は、以上に限定されるものではなく、内部空間７２の長手方向Ｂがアーム延在方向Ａに対して平行となるように配置されてもよい。
【００４１】
植物収容部７は、図３（Ａ）に示すように、奥側植物支持部７３と、周囲側植物支持部７４と、周囲側規制部７５と、により構成される。内部空間７２は、奥側植物支持部７３と、周囲側植物支持部７４と、周囲側規制部７５と、により包囲される。
【００４２】
奥側植物支持部７３は、図３（Ｂ）に示すように、植物９００の一端側（例えば、根９１０側）において植物９００を支持するものである。具体的に奥側植物支持部７３は、内部空間７２の長手方向Ｂの奥側端部において、内部空間７２に収容された植物９００を支持する。奥側植物支持部７３は、内部空間７２側に奥側植物支持面７３Ａを有する。奥側植物支持面７３Ａは、植物９００の一端側（例えば、根９１０側）に当接して植物９００を支持する。奥側植物支持面７３Ａは、内部空間７２の長手方向Ｂにおいて手前側開口片７１Ａに対向する。また、図２に示すように、内部空間７２の長手方向Ｂがアーム延在方向Ａに対して傾斜するように植物収容部７が配置された場合、土地８１０上で植付装置１を把持する使用者８００を基準としたとき、奥側植物支持部７３は、植物収容部７の最下方（土地８１０に最近位な位置）に位置する。
【００４３】
周囲側植物支持部７４は、図３（Ｂ）に示すように、植物９００の高さ方向の周囲側において植物９００を支持するものである。周囲側植物支持部７４は、内部空間７２側に周囲側植物支持面７４Ａを有する。周囲側植物支持面７４Ａは、植物９００の周囲側において植物９００に当接して植物９００を支持する。また、図２に示すように、内部空間７２の長手方向Ｂがアーム延在方向Ａに対して傾斜するように植物収容部７が配置された場合、土地８１０上で植付装置１を把持する使用者８００を基準としたとき、周囲側植物支持部７４は、使用者８００に対向する位置に位置する。また、周囲側植物支持面７４Ａは、傾斜面となる。
【００４４】
周囲側規制部７５は、図３（Ｂ）に示すように、植物９００が植物収容部７の外に落下することを規制するものである。周囲側規制部７５は、２つ設けられ、周囲側植物支持面７４Ａの内部空間７２の幅方向Ｃの両側から内部空間７２の深さ方向Ｄに起立する。２つの周囲側規制部７５は、内部空間７２の幅方向Ｃにおいて対向する。周囲側規制部７５は、内部空間７２側に周囲側規制面７５Ａを有する。植物９００は、内部空間７２の幅方向Ｃに移動しても周囲側規制面７５Ａに接触するため、植物収容部７の外への落下を規制される。
【００４５】
なお、奥側植物支持部７３は、図４（Ａ）に示すように、内部空間７２の長手方向Ｂの奥側端部、かつ、内部空間７２の深さ方向Ｄの周囲側植物支持部７４側端部において、内部空間７２の幅方向Ｃに延びる開閉軸８１を介して周囲側植物支持部７４に連結される。幅方向Ｃは、アーム延在方向Ａおよび内部空間７２の長手方向Ｂの双方に直角な方向である。開閉軸８１は、例えば、２つのヒンジ７６Ａにより実現される。ヒンジ７６Ａのヒンジ軸が開閉軸８１に相当する。このため、奥側植物支持部７３は、開閉軸８１を軸として回動（傾倒）可能である。
【００４６】
なお、奥側植物支持面７３Ａが内部空間７２の長手方向Ｂにおいて手前側開口片７１Ａに対向すると共に、周囲側植物支持面７４Ａに対して起立した状態になるよう、奥側植物支持部７３には、付勢部材７７が設けられる。付勢部材７７として、例えば、コイルばねが一例として挙げられる。コイルばねは、奥側植物支持部７３および周囲側植物支持部７４の双方に係合するよう、ヒンジ７６Ａに取り付けられる。これにより、後述する引張機構８２により奥側植物支持部７３が引っ張られない限り、奥側植物支持部７３は、内部空間７２の長手方向Ｂの奥側端部において、内部空間７２に収容された植物９００を支持可能な姿勢を維持することができる。
【００４７】
具体的に植物収容部７は、例えば、図３（Ａ），（Ｂ）および図４（Ａ），（Ｂ）に示すように、直方体形状の箱体７００により構成される。箱体７００は、第一箱片７１０と、第二箱片７２０とにより構成される。
【００４８】
第一箱片７１０および第二箱片７２０は、断面がコの字状の板体により構成される。第一箱片７１０のコの字の中央板が周囲側植物支持部７４に相当する。第一箱片７１０のコの字の両側板が周囲側規制部７５に相当する。第二箱片７２０は、奥側植物支持部７３に相当する。
【００４９】
第二箱片７２０は、内部空間７２の長手方向Ｂに平行な第一箱片７１０の延在方向の一端側を閉塞するよう２つのヒンジ７６Ａを介して第一箱片７１０に連結される。このとき、コイルばねは、第一箱片７１０および第二箱片７２０の双方に係合するよう、２つのヒンジ７６Ａに取り付けられる。
【００５０】
＜開閉機構＞
図４を参照して、開閉機構８について説明する。開閉機構８は、奥側植物支持部７３を開閉して内部空間７２を外部に開放するものである。開閉機構８は、例えば、開閉軸８１と、引張機構８２と、を有する。
【００５１】
開閉軸８１は、上記＜植物収容部＞で説明したように、周囲側植物支持部７４に対して奥側植物支持部７３を回動（傾倒）させる軸である。
【００５２】
引張機構８２は、奥側植物支持部７３を引っ張り、内部空間７２を開放させるものである。引張機構８２は、例えば、線状体８３と、被覆部８４と、引張側操作部８５と、線状体引張部８６と、により構成される。
【００５３】
線状体８３は、例えば、スチールまたはステンレス鋼製のワイヤで構成される。線状体８３の一端は、奥側植物支持部７３側に接続され、他端は、線状体引張部８６に接続される。
【００５４】
被覆部８４は、奥側植物支持部７３から線状体引張部８６までの少なくとも一区間において線状体８３を被覆する。被覆部８４は、例えば、硬質樹脂製のチューブにより構成される。なお、図４（Ａ），（Ｂ）では、線状体８３は、全区間において硬質樹脂製のチューブにより被覆される。
【００５５】
引張側操作部８５は、線状体８３を引っ張る動作を受け付けるものである。引張側操作部８５は、例えば、レバー部材により構成される。
【００５６】
線状体引張部８６は、引張側操作部８５で受け付けた操作に連動して線状体８３をアーム延在方向Ａの後方側に移動させるものである。線状体引張部８６は、例えば、引張側本体部８６Ａと、接続部８６Ｂと、アーム連結機構８６Ｃと、を有する。
【００５７】
引張側本体部８６Ａは、引張側操作部８５に繋がっている。引張側本体部８６Ａと引張側操作部８５は、別部材であってもよいし、一体形成されていてもよい。接続部８６Ｂは、引張側本体部８６Ａにおいて線状体８３の他端が接続される部分である。
【００５８】
アーム連結機構８６Ｃは、引張側本体部８６Ａをアーム２に回動可能に連結するものである。アーム連結機構８６Ｃは、例えば、連結体８６Ｄと、引張側回動軸８６Ｅと、を有する。連結体８６Ｄは、引張側回動軸８６Ｅを保持した状態で、アーム２に連結される。また、引張側本体部８６Ａは、引張側回動軸８６Ｅを軸として回動可能に引張側回動軸８６Ｅに軸着される。
【００５９】
次に、線状体引張部８６の動作について説明する。引張側操作部８５がアーム２に接近するように力を加えられると、引張側本体部８６Ａは、引張側回動軸８６Ｅを軸として反時計回りに回動する。このとき、接続部８６Ｂは、最初の状態と比較してアーム延在方向Ａの後方側に移動する。これにより、線状体８３は、引っ張られた状態になる。結果、奥側植物支持部７３は開かれて、内部空間７２が開放された状態になる。
【００６０】
図３（Ｂ）に示すように、植物収容部７に植物９００が収容されている場合、奥側植物支持部７３が開かれると、植物９００は、傾斜面となる周囲側植物支持面７４Ａ上を滑り地面に落ちる。
【００６１】
＜植付装置使用例＞
図５を参照して、傾斜面を有する土地８１０に植付装置１を使用して植樹する手順を説明する。まず、図５（Ａ）に示すように、植付装置１の植物収容部７に樹木苗９２０を収容して、その状態で土地８１０を掘削具３０により掘削する。土地８１０に所定の深さの穴８２０が形成された後に、奥側植物支持部７３が穴８２０の上に位置するように植付装置１を移動させる。次に、引張側操作部８５を握り締めて、開閉機構８により奥側植物支持部７３を開いて内部空間７２を開放する。これにより、樹木苗９２０は、周囲側植物支持面７４Ａを滑り落ちて、穴８２０に落ちる。周囲の土で穴８２０を埋めて植樹が完了する。
【００６２】
尚、本考案の植付装置１は、上記した実施の形態に限定されるものではなく、本考案の要旨を逸脱しない範囲内において種々変更を加え得ることは勿論である。
【符号の説明】
【００６３】
１  植付装置
２  アーム
３  掘削部
４  第一把持部
５  第二把持部
６  保護壁部材
７  植物収容部
８  開閉機構
３０  掘削具
３１  駆動部
３２  駆動源
３３  伝達部
３４  駆動側操作部
３４Ａ  スイッチ
７１  開口
７２  内部空間
７２Ａ  奥側端部
７３  奥側植物支持部
７３Ａ  奥側植物支持面
７４  周囲側植物支持部
７４Ａ  周囲側植物支持面
７５  周囲側規制部
７５Ａ  周囲側規制面
７６Ａ  ヒンジ
７７  付勢部材
８１  開閉軸
８２  引張機構
８３  線状体
８４  被覆部
８５  引張側操作部
８６  線状体引張部
８００  使用者
８１０  土地
９００  植物
９１０  根
Ａ  アーム延在方向
Ｂ  内部空間の長手方向
Ｃ  内部空間の幅方向
Ｄ  内部空間の深さ方向
【図１】
0003219930.tif 000003
【図２】
0003219930.tif 000004
【図３】
0003219930.tif 000005
【図４】
0003219930.tif 000006
【図５】
0003219930.tif 000007